(57)【要約】【課題】  簡単な条件の要求の下で、周知の装置の複雑で余分な部品の取付、位置決めを排除したビューウインドウの枢設装置の提供。【解決手段】  軸室が画定されたブシュを具え、往復運動可能なカムとバネが該軸室内に取付られ、ハブは該カムに対応する幾何曲面を具え、恒常的に該カムの幾何曲面上に位置してハブが外力を受けて回転する時、ハブがカムの幾何曲面上で相対移動し、強制的にカムに軸方向移動を発生させてバネを圧縮してエネルギーを蓄積させる。【選択図】        図３
0003106761.tif 000002
【実用新案登録請求の範囲】
【請求項１】
軸室が画定されたブシュと、
該ブシュの軸室内に取付られて往復運動可能であり幾何曲面を具えたカム及びバネと、  上述のカムに対応する幾何曲面を具えて恒常的にカムの幾何曲面上に位置し、外力を受けて回転する時にカムの幾何曲面上を移動してカムに軸方向移動を発生させてバネにエネルギーを蓄積させるハブと、
を具えたことを特徴とする、ビューウインドウの枢設装置。
【請求項２】
請求項１記載のビューウインドウの枢設装置において、ハブの幾何曲面が峰部と谷部を具えたことを特徴とする、ビューウインドウの枢設装置。
【請求項３】
請求項１記載のビューウインドウの枢設装置において、カムの幾何曲面が峰部と谷部を具えたことを特徴とする、ビューウインドウの枢設装置。
【請求項４】
請求項１記載のビューウインドウの枢設装置において、ハブが柱を具え、該柱がカムの貫通孔を通過してカムとバネをブシュの軸室内に保持することを特徴とする、ビューウインドウの枢設装置。
【請求項５】
請求項４記載のビューウインドウの枢設装置において、ハブの柱の後端がスナップリングで固定されたことを特徴とする、ビューウインドウの枢設装置。
【請求項６】
請求項１記載のビューウインドウの枢設装置において、カムの幾何曲面とハブの幾何曲面が重畳状態を形成可能であることを特徴とする、ビューウインドウの枢設装置。
【請求項７】
請求項１記載のビューウインドウの枢設装置において、枢設装置がビデオカメラとデジタルビューウインドウに枢設される固定端を具えたことを特徴とする、ビューウインドウの枢設装置。
【請求項８】
請求項１記載のビューウインドウの枢設装置において、枢設装置がビューウインドウ或いはスクリーンに弾性開放の作用力を発生させる時の回転量が約１５度とされたことを特徴とする、ビューウインドウの枢設装置。
【請求項９】
請求項１記載のビューウインドウの枢設装置において、枢設装置がビューウインドウ或いはスクリーンに自動折り畳みの作用力を発生させる時の回転量が約１５度とされたことを特徴とする、ビューウインドウの枢設装置。
【請求項１０】
請求項２又は請求項３記載のビューウインドウの枢設装置において、カムとハブの幾何曲面の峰部と谷部が連続形態とされたことを特徴とする、ビューウインドウの枢設装置。
【考案の詳細な説明】
【技術分野】
【０００１】
本考案は電子製品のデジタルビューウインドウ或いはスクリーンに用いられる枢設装置に係り、特に簡単で且つ操作過程で自動位置決め形態を形成可能な枢設装置に関する。
【背景技術】
【０００２】
外力を受けて往復回転自在の枢設装置を電子製品、例えば携帯電話、デジタル撮像機等にカバー、ディスプレイ或いはビューウインドウを組み付けることで、カバー、ディスプレイ或いはビューウインドウを回転可能とし開閉作用を具備させることができる。通常、周知の枢設装置はネジ部を具えた軸が複数の盤形ワッシャ或いはコイルスプリングを通過した後にナットと螺合されることでカバー或いはディスプレイスクリーンの回転を緊迫、或いは許容する。特許文献１、２は典型的な実施例である。
【０００３】
また特許文献３にはビデオカメラのスクリーン用の枢設装置が記載され（図１、２参照）、この枢設装置１は、デジタルカメラ上に設置される第１回転軸１０と、横向きシート板３、第１回転軸１０に嵌合される縦向き軸スリーブ２２、固定部２３及び位置制限ストッパ片２３３を具えた受け座２０と、カメラ本体７０と液晶ビューウインドウ７１の間を接続し第１組付け端３２、第２組付け端３３及び中段位置の圧接凸部３４を具えた第２回転軸３０と、第２回転軸の第１組付け端３２に組み合わされて該圧接凸部３４と該固定部２３の間に介装されて第２回転軸と同期に運動し、位置制限凸部４２を具えて該位置制限ストッパ片２３３と組み合わされて第２回転軸３０の垂直方向の回転範囲を制限する位置制限板４０と、第２回転軸３０に嵌合される弾性ワッシャ５０と、第２回転軸の第２組付け端３３に取り付けられて液晶ビューウインドウ７１側片に固定される固定座６０と、で構成されている。
【０００４】
この従来の技術の枢設装置１は実際の操作中に以下のような課題を有している。
１．図１、２に示されるようにこの枢設装置１は、多くの部品と構造を具えている。例えば、位置制限溝２２１が形成されることで第１回転軸１０の凸ピン１１と組み合わされる受け座２０より延伸された横向きシート板２１に、枢設孔２３１、組付け孔２３２を具えた固定部２３が設けられて、第２回転軸の第１組付け端３２と組み合わされる。また、複数の弾性ワッシャ５０が位置制限板４０が位置制限板４０を押圧して受け座の固定部２３側面に圧接させる。或いは位置制限板４０と受け座の固定部２３の間の複数の環状配列された位置決め凹部２３４と位置決め凸縁４３の組合せ等の構造組織を有し、またこのためにこの枢設装置１の加工と組立が煩瑣となり製造コストも高くなる。
２．実務上、カメラ本体７０のビューウインドウ７１が回される操作回数と時間が非常に頻繁となる。このためこのようなカメラ本体７０をある期間使用した後に、該位置決め凹部２３４と位置決め凸縁４３が組合せによる摩損の現象を発生し、このため位置制限板４０受け座の固定部２３の間の結合に弛緩が発生する。
３．周知のデジタルカメラ或いはビデオカメラは通常ビューウインドウの側辺に係止突起或いは磁石が設けられて回転方式でカメラ或いはビデオカメラ本体の収納室に折り畳まれる時、収納室内側に取付られた係止溝或いは磁石と結合され、これによりビューウインドウの配送或いは携帯の期間にぐらつき或いは回転の作用を発生しないものとされる。ただしこのような余分の加工プロセス或いは措置は好ましいものではない。
【０００５】
このような枢設装置の構造組織を設計しなおして、その組合せ形態を更に簡易となすか周知のものとは異なるものとし、その使用形態を改変するか、或いはビューウインドウを、係止突起、係止溝或いは磁石を組合せない条件の下で収納室内に自動折り畳み可能とするか、或いは凸縁、凹溝の摩損により部品の弛緩を発生させないようにすることが望まれる。
【０００６】
【特許文献１】台湾特許第８２２０２７６８号明細書
【特許文献２】台湾特許第８１２０１４８２号明細書
【特許文献３】台湾特許第９１２１７８４８号明細書
【考案の開示】
【考案が解決しようとする課題】
【０００７】
本考案の主要な目的は、デジタルカメラ或いはデジタルビデオカメラの液晶ビューウインドウ或いはスクリーンの枢設装置を提供し、この枢設装置は簡易である条件の要求の下、ビューウインドウをカメラの収納室内に自動収納でき、その構造の加工と組立の複雑性、製造コスト面で明らかな改善を達成できるものとする。
【０００８】
本考案の枢設装置は、軸室が画定されたブシュを具え、該軸室内に往復運動可能なカムとバネが該軸室内に取付られ、ハブは該カムに対応する幾何曲面を具え、恒常的に該カムの幾何曲面上に位置してハブが外力を受けて回転する時、ハブがカムの幾何曲面上で相対移動し、強制的にカムに軸方向移動を発生させてバネを圧縮してエネルギーを蓄積させる。
【０００９】
本考案の枢設装置によると、ハブとカムは相互に対応する峰部と谷部が形成された幾何曲面を具え、該幾何曲面が相対移動を許容し、該峰部と谷部の長さは該ビューウインドウの回転移動量が１２０度以内となるよう設定される。
【課題を解決するための手段】
【００１０】
請求項１の考案は、軸室が画定されたブシュと、
該ブシュの軸室内に取付られて往復運動可能であり幾何曲面を具えたカム及びバネと、  上述のカムに対応する幾何曲面を具えて恒常的にカムの幾何曲面上に位置し、外力を受けて回転する時にカムの幾何曲面上を移動してカムに軸方向移動を発生させてバネにエネルギーを蓄積させるハブと、
を具えたことを特徴とする、ビューウインドウの枢設装置としている。
請求項２の考案は、請求項１記載のビューウインドウの枢設装置において、ハブの幾何曲面が峰部と谷部を具えたことを特徴とする、ビューウインドウの枢設装置としている。
請求項３の考案は、請求項１記載のビューウインドウの枢設装置において、カムの幾何曲面が峰部と谷部を具えたことを特徴とする、ビューウインドウの枢設装置としている。
請求項４の考案は、請求項１記載のビューウインドウの枢設装置において、ハブが柱を具え、該柱がカムの貫通孔を通過してカムとバネをブシュの軸室内に保持することを特徴とする、ビューウインドウの枢設装置としている。
請求項５の考案は、請求項４記載のビューウインドウの枢設装置において、ハブの柱の後端がスナップリングで固定されたことを特徴とする、ビューウインドウの枢設装置としている。
請求項６の考案は、請求項１記載のビューウインドウの枢設装置において、カムの幾何曲面とハブの幾何曲面が重畳状態を形成可能であることを特徴とする、ビューウインドウの枢設装置としている。
請求項７の考案は、請求項１記載のビューウインドウの枢設装置において、枢設装置がビデオカメラとデジタルビューウインドウに枢設される固定端を具えたことを特徴とする、ビューウインドウの枢設装置としている。
請求項８の考案は、請求項１記載のビューウインドウの枢設装置において、枢設装置がビューウインドウ或いはスクリーンに弾性開放の作用力を発生させる時の回転量が約１５度とされたことを特徴とする、ビューウインドウの枢設装置としている。
請求項９の考案は、請求項１記載のビューウインドウの枢設装置において、枢設装置がビューウインドウ或いはスクリーンに自動折り畳みの作用力を発生させる時の回転量が約１５度とされたことを特徴とする、ビューウインドウの枢設装置としている。
請求項１０の考案は、請求項２又は請求項３記載のビューウインドウの枢設装置において、カムとハブの幾何曲面の峰部と谷部が連続形態とされたことを特徴とする、ビューウインドウの枢設装置としている。
【考案の効果】
【００１１】
本考案は、デジタルカメラ或いはデジタルビデオカメラの液晶ビューウインドウ或いはスクリーンの枢設装置を提供し、この枢設装置は簡易である条件の要求の下、ビューウインドウをカメラの収納室内に自動収納でき、その構造の加工と組立の複雑性、製造コスト面で明らかな改善を達成できる。
【考案を実施するための最良の形態】
【００１２】
図３、４に示されるように、本考案の枢設装置の実施例は符号８０を以て表示される。この枢設装置８０は軸室８１が画定されたブシュ８２を具え、カム８３とバネ８４が該軸室８１内に収容され、ハブ９０の軸線垂直方向上の柱９１の通過に供され、それらは軸室８１内に保持されてブシュ８２より離脱しない。詳しくは、カム８３は上端に形成された幾何曲面８５と上述のハブ９０の通過に供される貫通孔８６を具えている。幾何曲面８５はカム８３の最高点の峰部８７と、峰部８７より下向きに延伸されて低い位置に形成された谷部８８を具えている。これにより、本考案の実施例中、ハブ９０の柱９１が軸室８１に進入してカム８３とバネ８４を通過した後の柱９１の後端９２がスナップリング９３で固定され、こうして図４に示される状態が形成される。
【００１３】
ハブ９０は更に幾何曲面９４を具え、それは上述のカム８３の幾何曲面８５の輪郭に対応し、峰部９５と峰部９５に接続された谷部９６を具えている。
【００１４】
図４に示されるように、ハブ９０の幾何曲面９４はカム８３の幾何曲面８５と重畳状態を形成する。並びに幾何曲面９４は幾何曲面８５上を移動する。例えば図５に示されるように、ハブ９０が柱９１を中心として回転する時、その幾何曲面９４はカム８３の幾何曲面８５を圧迫し、カム８３を垂直軸方向に沿って図中の下方に移動させ、バネ８４を圧縮してエネルギーを蓄積させる。
【００１５】
図６、７及び図８に示される実施例では、枢設装置８０に二つが一組の対称形態が採用され、固定端７２（符号は図８に示される）、７３がカメラ本体７０（デジタルカメラ或いはデジタルビデオカメラ）とビューウインドウ或いはスクリーン７１に枢設されて回転自在な状況が形成されている。そのうち、軸１００でビューウインドウ或いはスクリーン７１が枢設されて図８に示されるようにｙ軸方向に沿って前後に回転可能な形態が形成され、それは周知の典型的な実施例であるため、この部分についての詳しい説明は省略する。
【００１６】
本考案では特に、外力によりビューウインドウ或いはスクリーン７１が図８のｘ軸を以て回される時、強制的にハブ９０がブシュの軸室８１内で回転運動を発生させられ、幾何曲面９４の峰部９５がカム８３の幾何曲面８５の谷部９６より峰部８７の位置に移動し、これによりカム８３を圧迫して上述の下方向の軸方向移動を発生させ、並びにバネ８４にエネルギーを蓄積させる。図５に示されるように、ハブ９０の峰部９５がカム８３の峰部８７に到達し峰部８７を超過すると、バネ８４が先に蓄積したエネルギーを釈放し、強制的にハブ９０の峰部９５を自動的にカム８３の幾何曲面８５のもう一辺の谷部８８に向けて運動させ、ビューウインドウ或いはスクリーン７１を開放の状態となす。使用者が施力操作してビューウインドウ或いはスクリーン７１をカメラ本体７０に向けて折り畳む時、その作用力が強制的にハブ９０を回転させ、幾何曲面９４を前述の経路に沿って回復させ、カム８３とバネ８４を圧迫させてハブ９０或いは幾何曲面９４をもとのカム８３の幾何曲面８５の谷部８８の位置に戻す。
【００１７】
図９に示される修正した実施例においては、位置ａが、ハブの幾何曲面９４の峰部９５がカムの幾何曲面８５の谷部８８エリアの位置にあるものとされる。ゆえに、ビューウインドウ或いはスクリーン７１が図中の位置ｂまで回される時、ハブの峰部９５の位置はすでにカム８３の谷部８８のエリアに接近するが、該谷部８８の最低点に未到達であり、このため、該バネ８４が強制的にビューウインドウ或いはスクリーン７１を位置ａに向けて運動させ、カメラ本体７０に折り畳み状態を形成させ、バネ８４の釈放するエネルギーより大きい外力を加えなければ該ビューウインドウ或いはスクリーン７１を再度開放状態とすることはできない。このようなメカニズムによりカメラ本体７０とビューウインドウ或いはスクリーン７１に余分に係止突起及び係止溝或いは磁石等の部品を組み合わせる必要を無くし、ビューウインドウ或いはスクリーン７１の折り畳み状態時に固定或いは位置決めの措置を構築できる。
【００１８】
位置ｃはハブの幾何曲面９４の峰部９５がカム８３の幾何曲面８５の峰部８７エリアにある位置である。ビューウインドウ或いはスクリーン７１が回されて図中のｄ位置に至る時は、強制的にハブの峰部９５がカム８３の峰部８７を超過し、カム８３の幾何曲面８５のもう一つの谷部８８エリアに向けて運動する。これにより、バネ８４がビューウインドウ或いはスクリーン７１を位置ｄの方向に運動させ、開放状態を形成させる。具体的には、本考案の実施例中、位置ｃから位置ｄまでは、枢設装置８０はビューウインドウ或いはスクリーン７１に弾性開放の作用力を発生させる。その移動距離（位置ｃから位置ｄ或いは峰部９５がもう一つの谷部８８に運動する移動距離）は図９では、その角度移動の回転量が約１５度とされる。この枢設装置８０はまたビューウインドウ或いはスクリーン７１に位置ｂから位置ａまでに自動折り畳みの作用力を発生させる。その移動距離（位置ｂから位置ａ）は図９では移動角度が約１５度とされる。
【００１９】
この枢設装置８０は周知の技術と比較すると、簡単な構造形態を有する。ハブ９０が幾何曲面９４を具えてカム８３の幾何曲面８５と組み合わされることで、ビューウインドウ或いはスクリーンの開放、位置決め、折り畳みの機能が獲得され、明らかに周知の技術における、横方向シート板、軸スリーブ、固定座、固定部、受け座の位置制限ストッパ片、圧接凸部と第１、２組付け端を具えた第２回転軸、凸ピン、位置制限板と余分の係止突起、係止溝或いは磁石等の部分の煩瑣な組合せ状況を改善する。
【００２０】
総合すると、本考案はビデオカアメラの液晶ビューウインドウの枢設装置を改良しており、その空間形態は周知の技術とは異なり、且つ周知の技術にはない長所を有し、大きな進歩を有している。
【図面の簡単な説明】
【００２１】
【図１】周知の枢設装置とデジタルカメラの組合せの外観図である。
【図２】周知の枢設装置の立体分解図である（特許文献３）。
【図３】本考案の立体分解図である。
【図４】本考案の断面図である。
【図５】本考案のハブとカムの回転行程後の関係位置及び断面表示図である。
【図６】本考案とビデオカメラの組合せの平面図である。
【図７】図６の別の側面図である。
【図８】本考案とビデオカメラ、ビューウインドウの組合せの操作実施例図である。
【図９】図８の平面図である。
【符号の説明】
【００２２】
１０  第１回転軸
２０  受け座
２１  横向きシート板
２２  軸スリーブ
２３  固定部
２３１  枢設孔
２３２  組付け孔
２３３  位置制限ストッパ片
２３４  位置決め凹部
３０  第２回転軸
３１  貫通孔
３２  第１組付け端
３３  第２組付け端
３４  圧接凸部
４０  位置制限板
４１  固定孔
４２  位置制限凸部
４３  位置決め凸縁
５０  弾性ワッシャ
６０  固定座
６１  組付け孔
７０  カメラ本体
７１  ビューウインドウ或いはスクリーン
７２、７３  固定端
８０  枢設装置
８１  軸室
８２  ブシュ
８３  カム
８４  バネ
８５、９４  幾何曲面
８６  貫通孔
８７、９５  峰部
８８、９６  谷部
９０  ハブ
９１  柱
９２  後端
９３  スナップリング
ｘ、ｙ  軸
ａ、ｂ、ｃ、ｄ  位置
１００  軸
【図１】
0003106761.tif 000003
【図２】
0003106761.tif 000004
【図３】
0003106761.tif 000005
【図４】
0003106761.tif 000006
【図５】
0003106761.tif 000007
【図６】
0003106761.tif 000008
【図７】
0003106761.tif 000009
【図８】
0003106761.tif 000010
【図９】
0003106761.tif 000011